(57)【要約】  縦方向に配置された２つのコンテナを持上げられるように意図されたコンテナリフトにおいて、コンテナリフトは、第１フレーム（４）と、前記第１フレーム（４）上に配置され、前記コンテナの互いに反対側を向く短辺を固定するための外側固定手段（９）を有する外側の横梁（７、８）と、前記第１フレーム（４）上に配置され、移動可能なサドル部（５、６）と、２つの前記コンテナの互いに対面する短辺を固定するように前記サドル部（５、６）の下面上に配置された固定手段（９）とを備えている。前記サドル部（５、６）のうち少なくとも１つは、移動されたコンテナあるいは互いに対してねじれた位置にあるコンテナを持上げるため、前記コンテナの互いに向き合う短辺を固定するようになっており、主として前記第１フレームに対して横方向に移動可能となっている。
2008505042.tif 000002
【特許請求の範囲】
【請求項１】
縦方向に配置された２つのコンテナを持上げられるように意図されたコンテナリフトにおいて、
第１フレーム（４）と、
前記第１フレーム（４）上に配置され、前記コンテナの互いに反対側を向く短辺を固定するための外側固定手段（９）を有する外側の横梁（７、８）と、
前記第１フレーム（４）上に配置され、移動可能なサドル部（５、６）と、
２つの前記コンテナの互いに対面する短辺を固定するように前記サドル部（５、６）の下面上に配置された固定手段（９）と、を備え、
前記サドル部（５、６）のうち少なくとも１つは、前記コンテナの互いに向き合う短辺を固定するようになっており、主として前記第１フレームに対して横方向に移動可能となっていることを特徴とするコンテナリフト。
【請求項２】
第１の前記コンテナに属する前記サドル部（５、６）は、第２の前記コンテナに属する前記サドル部（５、６）から独立して横方向へ移動できる、請求項１に記載のコンテナリフト。
【請求項３】
前記移動は、ピストンシリンダー装置（１０、１１）の油圧システムにより行なわれる、請求項２に記載のコンテナリフト。
【請求項４】
前記コンテナに属する各サドル部（５、６）の少なくとも一部は、それらが２つのピストンシリンダー装置（１０、１１）により移動されるように配置され、それらのピストンは互いに連結され、第１のシリンダーは前記第１フレームに取付けられて固定され、第２のシリンダーは前記サドル部に取付けられて固定され、または、それらのシリンダーは互いに連結されるとともに、第１のピストン（１２）は前記第１フレーム（４）に取付けられて固定され、第２のピストン（１３）は前記サドル部（５、６）に取付けられて固定されている、請求項３に記載のコンテナリフト。
【請求項５】
前記第１フレーム（４）の側部上の各サドル部（５、６）は、前記第１フレーム内のベアリング内に取付けられた鉤部（１９）を有する、請求項４に記載のコンテナリフト。
【請求項６】
前記各サドル部（５、６）は、前記第１フレーム（４）の側部に固定手段支持部（２０、２１）を有し、その支持部は、前記第１フレーム（４）に平行な軸の周囲を回動できるように上端に配置され、前記第２のシリンダーは、前記第１フレーム（４）の各側で前記固定手段支持部（２０、２１）に接続されて結合され、または前記第２のピストンは、前記固定手段支持部（２０、２１）に接続されて結合される、請求項４に記載のコンテナリフト。
【請求項７】
前記ピストンシリンダー装置（１０、１１）は、前記第１フレーム（４）の下方に配置されている、請求項６に記載のコンテナリフト。
【発明の詳細な説明】
【技術分野】
【０００１】
本発明は、縦方向に配置された２つのコンテナを持上げられるように意図されたコンテナリフトに関する。本発明は、第１フレームと、第１フレーム上に配置され、コンテナの互いに反対側を向く短辺を固定するための外側固定手段を有する外側の横梁と、第１フレーム上に配置され、移動可能なサドル部と、２つのコンテナの互いに対面する短辺を固定するようにサドル部の下面上に配置された内側固定手段とを備えている
【背景技術】
【０００２】
今日、大量の物資を輸送する際コンテナを使用するのが支配的であるといえる。したがって、積み込みや空にするためにコンテナを集積するため、ますます大きな領域が必要とされ、またコンテナはこの理由により互いの上部に積み重ねられ、その間に極力小さい隙間を有している。１つのコンテナを他のコンテナに対して小さく移動または旋回することにより、クレーンの操作者にとって、意図するコンテナを吊り上げるため正確にコンテナリフトを配置する必要があるという問題を生じさせる。これは、とりわけ「ツインリフト」として知られるタイプのコンテナリフトの場合に深刻な問題となる。２つのコンテナが互いに対して旋回されたり移動されたりすることにより、正確にリフトを配置し、かつコンテナを固定することは不可能となるであろう。「ツイストロック」として知られるタイプの固定方式を用いる場合、数十ミリメートルというわずかな誤差が適用される。
【発明の開示】
【発明が解決しようとする課題】
【０００３】
したがって、本発明の一つの側面は、互いに整列されていない２つのコンテナを取り扱うことが可能なツインリフトタイプのコンテナリフトを提供することにある。
【課題を解決するための手段】
【０００４】
本発明は、このため、コンテナの互いに向き合う短辺を固定するための少なくとも１つのサドル部は、第１フレームに対して主として横方向に移動可能となるように配置されていることを特徴とする。
【０００５】
本発明の一実施の形態によれば、第１のコンテナに属するサドル部は、第２のコンテナに属するサドル部から独立して横方向へ移動できる。
【０００６】
本発明の一の実施の形態によれば、この移動は、ピストンシリンダー装置の油圧システムにより行なわれる。
【０００７】
本発明のとりわけ有利な実施の形態によれば、各コンテナに属するサドル部は、それが２つのピストンシリンダー装置により移動されるように配置され、そのピストンは互いに連結され、かつ第１のシリンダーは第１フレームに取付けられて固定され、第２のシリンダーはサドル部に取付けられて固定され、または、それらのシリンダーは互いに連結されるとともに、第１のピストンは第１フレームに取付けられて固定され、第２のピストンはサドル部に取付けられて固定されている。
【０００８】
本発明は、図面を参照することにより実施例の形式で更に詳細に説明される。
【発明を実施するための最良の形態】
【０００９】
図１ａ−ｃは、２つのコンテナを運搬できるように意図され、「ツインリフトボックス」としても知られ、環形状を有するサドル部５、６が配置された第１フレーム４を備えたツインリフトタイプのコンテナリフトを示す。これらは、鉤部１９を介して第１フレーム４の各側部のベアリング内に取付けられているのが図２および図３に示されている。コンテナリフトは、また各端部上に２つの外側の横梁７、８を有している。コンテナリフトは固定位置に固定することができ、また「ツイストロック」装置として知られる既知の固定手段９により、各横梁７、８の各端部およびこれらの底面上のサドル部５、６でコンテナを支持することができる。コンテナを有しまたは有さないコンテナリフトは、例えば図示しないクレーンを用いる従来技術の範囲内で既知かつ認識された手段により上昇され、かつ移動される。
【００１０】
前記第１フレームは、異なる長さのコンテナを適切な位置に固定して上昇できるように、前記固定手段間の距離に適応可能な構造からなっている。さらに、上昇されている際における２つのコンテナ間の距離を上昇中に変更することができる。このような構造はここにこれ以上詳細に記述しない。
【００１１】
図２および図３に示すように、サドル部５、６は、油圧システムによりコンテナリフトの第１フレーム４に対して横方向に移動することができる。これは、コンテナリフトの長手方向に対して水平方向横向きに配置された２つの協働するピストンシリンダー装置１０、１１からなっている。一方のピストンシリンダー装置１０のピストン１２は、そのピストンロッド１７を介して第１フレーム４に固定されているが、他方のピストンシリンダー装置のピストン１３は、ピストンロッド１８を介してサドル部に固定されている。したがって、これら２つのピストンロッド１７、１８は、反対方向を向いており、互いに離間したり互いに近接したり自在に移動することができる。シリンダーハウジング１４は、互いに連続して配置された２つのシリンダーチャンバー１５、１６からなり、チャンバーのそれぞれは、ピストン１２、１３のうちの１つに配置されている。シリンダーシリンダーハウジング１４は浮遊ユニットとして設けられ、すなわちいずれにも取付けられていない。各シリンダーチャンバーは、制御供給用および油圧引込用の２つの接続部を有している。したがって、各ピストンシリンダー装置は２つの位置をとり、このうち一方は伸びたピストンによる位置であり、他方は引込んだピストンによる位置である。ピストンシリンダー装置は独立して制御されるので、これらの位置の４つの異なる組合せが可能である。仮に独立して一方のピストンが伸び、他方のピストンが引込んでいれば、図２に示すようにサドル部は第１フレームに対して横方向中心に位置するであろう。仮に両方のピストンが伸びていれば、図３に示すようにサドル部は第１フレームに対して右方向に移動するであろう。仮に両方のピストンが引込んでいれば、サドル部は第１フレームに対して左方向に移動するであろう。
【００１２】
図示しない一実施の形態において、コンテナに属する各サドル部５、６は、２つのピストンシリンダー装置１０、１１により移動されるように配置され、他方においてそれらのピストンは互いに連結され、一方のシリンダーは第１フレームに固定され、他方のシリンダーはサドル部に固定されても良く、これにより同じ効果を得ることができる。
【００１３】
互いに向い合う２つのサドル部内に同等な油圧システムが設けられていることにより、長手方向に配置された２つのコンテナが様々な異なるタイプの「誤った」位置をとることに適応して、様々な位置をとることができる。両方のサドル部を同一方向に移動することにより、コンテナリフトは着地して、その中心線が平行でない、すなわち互いに対して回転して配置されたコンテナを固定することができる。仮に１つのサドル部のみが移動する場合、または仮に両サドル部が互いに異なる方向に移動する場合、コンテナリフトは着地し、サドル部の相互移動に等しい距離だけ離間して中心線が互いに平行となっているコンテナを固定することができる。したがって、この移動により、この距離の範囲が制御される。サドル部のみが移動し、かつ反対側の端部に配置された横向きの梁が移動しないので、サドル部が移動される際、コンテナの実際の位置に対する「角度誤差」が生じる。しかしながら、固定手段、すなわちツイストロックは、相対的に穏やかな移動により生じる「角度誤差」を埋め合わせる遊びの余地が設けられている。
【００１４】
図４ｃに示すように、互いに対してある角度をなして配置されたコンテナの問題は、移動される１つのサドル部を通じて、またはそれぞれ異なる方向に移動されるサドル部によって解決される。
【００１５】
「タンス」効果として知られる動作により、鉤部１９によりサドル部が押し込まれるようになるのを避けるため、サドル部を上昇または下降させるための更なるピストンシリンダー装置（図示せず）が各サドル部の下方に配置されても良い。
【００１６】
図５は、本発明の他の実施の形態を示し、各サドル部は、第１フレームの各側に回動可能に配置された固定手段支持部２０、２１を有している。図５に示す固定手段は、上端に設けられ第１フレームに対して平行な軸２３の周囲に回動可能な固定手段支持部を介して図の左方向へ移動される。本実施の形態において、ピストンシリンダー装置は、第１フレームの下方に配置されている。一方のピストンシリンダー装置１０のピストン１２は、ピストンロッド１７を介して第１フレーム４に取付けられ、他方のピストンシリンダー装置１１のピストン１３は、軸２２においてピストンロッド１８を介して両方の固定手段支持部２０、２１に連結されている。この固定手段支持部の移動または動作は、図２および図３による実施の形態と同様にして制御される。
【００１７】
保護の範囲は図に示す実施例に限定されるものではなく、当業者にとって請求の範囲の枠組み内で考えられる様々な実施の形態を含む。
【図面の簡単な説明】
【００１８】
【図１ａ】本発明によるコンテナリフトを示す側面図。
【図１ｂ】本発明によるコンテナリフトを示す平面図。
【図１ｃ】本発明によるコンテナリフトの１つの短辺からの図。
【図２】本発明によるコンテナリフトの一部のサドル部を示す、第１フレームに対して中心位置における断面図。
【図３】本発明によるコンテナリフトの一部のサドル部を示す、第１フレームに対して右方向に移動された位置における断面図。
【図４ａ】本発明によるコンテナリフトにより上昇された２つのコンテナの１つ目の可能な位置を示す概略図。
【図４ｂ】本発明によるコンテナリフトにより上昇された２つのコンテナの２つ目の可能な位置を示す概略図。
【図４ｃ】本発明によるコンテナリフトにより上昇された２つのコンテナの更なる可能な位置を示す概略図。
【図５】本発明によるコンテナリフトの一部のサドル部の変形例を示す、固定手段が第１フレームに対して左方向に移動された位置における図。
【図１ａ】
2008505042.tif 000003
【図１ｂ】
2008505042.tif 000004
【図１ｃ】
2008505042.tif 000005
【図２】
2008505042.tif 000006
【図３】
2008505042.tif 000007
【図４ａ】
2008505042.tif 000008
【図４ｂ】
2008505042.tif 000009
【図４ｃ】
2008505042.tif 000010
【図５】
2008505042.tif 000011
【国際調査報告】
2008505042.tif 000012
2008505042.tif 000013